(57)【要約】  本発明は、シートのバックレストのフレーム（１０）に取り付けられたランバーサポートバスケット（１２）と、フレーム（１０）に対するランバーサポートバスケット（１２）の位置を変更する張引装置とを備えたシートのバックレスト用のランバーサポートにおいて、張引装置は２本の張引ケーブル（１６，１７）を有し、これら張引ケーブル（１６，１７）は、張引装置に付与される張力によりランバーサポートバスケット（１２）がバックレストのフレーム（１０）にて画定される平面に対して移動するように、ランバーサポートバスケット（１２）及びフレーム（１０）に連結されているシートのバックレスト用ランバーサポートに関する。
2009502381.tif 000002
【特許請求の範囲】
【請求項１】
シートのバックレストのフレーム（１０）に取り付けられたランバーサポートバスケット（１２）と、
前記フレーム（１０）に対するランバーサポートバスケット（１２）の位置を変更する張引装置とを備えたシートのバックレスト用のランバーサポートにおいて、
前記張引装置は２本の張引ケーブル（１６，１７）を有し、これら張引ケーブル（１６，１７）は、張引装置に付与される張力によりランバーサポートバスケット（１２）がバックレストのフレーム（１０）にて画定される平面に対して移動するように、ランバーサポートバスケット（１２）及びフレーム（１０）に連結されていることを特徴とするシートのバックレスト用ランバーサポート。
【請求項２】
前記ランバーサポートバスケット（１２）は、内部に張引ケーブル（１６，１７）が移動可能に案内される案内装置（１８）を有することを特徴とする請求項１に記載シートのバックレスト用ランバーサポート。
【請求項３】
前記張引装置はボーデンケーブルであり、同ボーデンケーブルを駆動するアクチュエータ（１３）がフレーム（１０）に取り付けられている請求項１又は２に記載のシートのバックレスト用ランバーサポート。
【請求項４】
両張引ケーブル（１６，１７）はそれぞれの一方の端がフレーム（１０）に連結されていることを特徴とする請求項１乃至３のいずれか1項に記載のシートのバックレスト用ラ
ンバーサポート。
【請求項５】
両張引ケーブル（１６，１７）は共にアクチュエータ（１３）から案内装置（１８）に延び、同案内装置（１８）において分岐された後、それぞれがフレーム（１０）に延びて同フレーム（１０）に連結されることを特徴とする請求項3又は４に記載のシートのバッ
クレスト用ランバーサポート。
【請求項６】
両張引ケーブル（１６，１７）は分岐された後に、互いに反対方向に引き回され、フレーム（１０）の一側及び他側に連結されることを特徴とする請求項５に記載のシートのバックレスト用ランバーサポート。
【請求項７】
前記張引装置に張力が付与されると、張引ケーブルにおけるフレームに連結された箇所より案内装置（１８）に至る領域が短縮され、ランバーサポートバスケットはフレームにて画定される平面に対して変位することを特徴とする請求項５又は６に記載のシートのバックレスト用ランバーサポート。
【請求項８】
一方の張引ケーブル（１６又は１７）はフレーム（１０）の一側から他側に延びるとともに、他方の張引ケーブル（１７又は１６）はアクチュエータ（１３）から案内装置（１８）に延び、同案内装置（１８）において両張引ケーブル（１６，１７）は互いに連結されて、他方の張引ケーブル（１７又は１６）に張力が付与されると、一方の張引ケーブル（１６又は１７）のフレーム（１０）両側間における長さが短縮されることを特徴とする請求項１乃至４のいずれか1項に記載のシートのバックレスト用ランバーサポート。
【発明の詳細な説明】
【技術分野】
【０００１】
本発明は、シートのバックレストのランバーサポートに関するものである。本発明は特に、乗用車のシート、オフィス用品の椅子、家庭用家具の椅子のバックレストにおけるランバーサポートに関する。
【背景技術】
【０００２】
ランバーサポートはシートのバックレストに取り付けられて、シートに着座している者の腰椎や腰椎前弯症箇所に対して、形状が対応するする支持面を形成することにより、これら腰椎や腰椎前弯症箇所十分に支持をする。このために、ランバーサポートは通常、そのバスケットがシートバックレストのフレームに取り付けられる。更に、このバスケットのフレームに対して位置を変更するための引き具が設けられている。
【０００３】
従来品におけるランバーサポートのバスケットは、ランバーサポートの一側がサポートフレームの一方の面に取り付けられ、ランバーサポートの他側がボーデンケーブルを介してサポートフレームの他方の面に取り付けられている。 そして、ボーデンケーブルに張
力をかけることにより、フレームにて画定される平面に対するバスケットの位置が変更される。ボーデンケーブルに対して張力荷重が片側寄りにかけられると、この張力加重が非対照的な力として作用し、ランバーサポートのバスケットもフレームにて画定される平面に対して直交する方向のみならす、横方向にも移動する。この移動はフレームにて画定される平面に対して直交する軸を挟んで対照的に行われず、ボーデンケーブルに張力が付与されると、シートに着座している者は、腰椎前弯症箇所に非対称的は負担がかかる。加えて、ランバーサポートのバスケットは比較的小さな動作をするのみにも拘らず、ボーデンケーブルが張引される長さが比較的大きいという問題点もある。
【発明の開示】
【発明が解決しようとする課題】
【０００４】
本発明の目的は、対照的な運動が可能で、小量の張引運動に対しても最大の調整力を発揮するランバーサポートのバスケットを提供することにある。
【課題を解決するための手段】
【０００５】
上記した本発明の目的は独立請求項によって達成される。好ましい実施の形態は従属請求項に記載されている。
本発明によると、ランバーサポートはシートのバックレストのフレームに取り付けられたランバーサポートバスケットを備えている。更に、フレームに対するランバーサポートバスケットの位置を変更する張引装置が設けられている。張引装置は２本の張引ケーブルを有し、これら張引ケーブルは張引装置に付与される張力によりランバーサポートバスケットがバックレストのフレームにて画定される平面に対して移動するように、ランバーサポートバスケット及びフレームに連結されている。ランバーサポートバスケットがシートのバックレストのフレームにて画定される平面に対して直交する軸を挟んで対照的に移動するように、張引装置の張引ケーブルによりランバーサポート上に対照的な張力がかけられる。同時に、２本の張引ケーブルを使用したことにより、１本の張引ケーブルを使用した従来のランバーサポートバスケットと比較すると、張引ケーブルが張引される長さが同一であっても、本発明では調整量が2倍になる。
【０００６】
好ましくは、ランバーサポートバスケットは内部に張引装置が移動可能に案内される案内装置を有する。好ましい実施の形態によれば、２本の張引ケーブルが案内装置内に移動可能に配置されている。好ましくは、張引装置はボーデンケーブルであり、同ボーデンケ
ーブルを駆動するアクチュエータがフレームに取り付けられている。
【０００７】
更に、両張引ケーブルはそれぞれの一端においてフレームに連結されている。この実施の形態によれば、両張引ケーブルはそれぞれの多端においてアクチュエータに連結されている。一実施の形態において、両張引ケーブルは共にアクチュエータから案内装置へと延び、同案内装置において分岐された後、それぞれがフレームに延びて同フレームに連結される。
【０００８】
更に、好ましくは、両張引ケーブルは分岐された後に、互いに反対方向に引き回され、フレームの一側及び他側にそれぞれ連結されている。両張引ケーブルにおいて、分岐箇所からフレームに至る２つの側部は、フレームに対するランバーサポートバスケットの位置を決定する。張引ケーブルに張力が付与されると、張引ケーブルにおけるフレームに連結された箇所より案内装置に至る領域が短縮され、ランバーサポートバスケットはフレームにて画定される平面に対して変位する。この実施の形態においては、2本の張引ケーブル
が共に案内装置へと延びる領域が長くなる。一方の張引ケーブルにおける案内装置からフレームに至る領域が短縮される。同様に、他方の張引ケーブルにおける案内装置からフレームに至る領域も短縮される。これにより、ランバーサポートバスケットの調整量が所定の長さにおいて２倍になる。
【０００９】
他の実施の形態においては、  一方の張引ケーブルはフレームの一側から他側に延びるとともに、他方の張引ケーブルはアクチュエータから案内装置に延び、同案内装置において両張引ケーブルは互いに連結されて、他方の張引ケーブルに張力が付与されると、一方の張引ケーブルのフレーム両側間における長さが短縮される。第２の張引ケーブルに張力が付与されると、第１の張引ケーブルの小区域は第２の張引ケーブルに向かって同第１の張引ケーブルの移動路に直交する方向に移動される。これにより、第１の張引ケーブルにおけるフレームの一側より他側への実効的な長さが短縮される。
【発明を実施するための最良の形態】
【００１０】
図１は自動車のシートにおけるバックレスト（図示せず）の一部であるフレーム１０を示す正面図である。前記シートの下部にはランバーサポートバスケット１２を備えたランバーサポート１１が設けられている。前記フレーム１０の一側にはボーデンケーブルを駆動するアクチュエータ１３が取り付けられ、ランバーサポートバスケット１２はボーデンケーブルを介して駆動される。  図1においては、アクチュエータ１３の二つの異なる位
置が示され、これらをアクチュエータ１３ａ、アクチュエータ１３ｂと称する。二つのアクチュエータ１３ａ，１３ｂはバックレストのフレームにおける１個のアクチュエータの異なる位置を示すもんである、２個のアクチュエータが存在するものではない。上記を前提して、ランバーサポートバスケット１２はフレーム１０に対してスプリング（図示せず）等を介して連結され得るワイヤーマット１４である。ワイヤーマット１４はランバーサポートバスケット１２にも連結され得る。しかし、ランバーサポートバスケット１２とワイヤーマット１４との連結は必須ではない。
【００１１】
特に図２に示すように、ボーデンケーブルよりなる２本の張引ケーブル１６，１７はケーブルスリーブ内を案内されている。これら２本のケーブルは、ケーブルスリーブ内においては一体的に延びて案内装置１８に達し、同装置１８にて分岐される。一方の張引ケーブル１６はフレーム１０の一側１０ａに取り付けられ、案内装置１８にて分岐した他方の張引ケーブル１７はフレーム１０の他側に取り付けられている。特に図５，６に示すように、ランバーサポートバスケットは板状に形成され、下方腰部を案内するように、内側へ僅かに窪むように湾曲している。ランバーサポートバスケットは案内装置１８が取り付けられる中央部２０及び２つの側部２１，２２を備えている。ランバーサポートバスケットの、バックレストに寄りかかる使用者の背中に対向する面には締め付け部２３が形成され
ている。
【００１２】
図２，６に示すように、ケーブルスリーブ１５は案内装置１８に取り付けられている。案内装置１８は２つの円弧状をなす案内部２４，２５を有し、これら案内部２４，２５により２つの張引ケーブル１６，１７が効果的に分岐されている。２つの張引ケーブル１６，１７は案内装置内において移動可能に配置され、案内部２４，２５内で約９０度に曲折されて、ほぼ反対方向に引き回されて、それぞれがバスケット上において案内アイ２６に案内されている。そして、張引ケーブル１６，１７はそれぞれ固定要素２７によりフレーム１０に固定されている。
【００１３】
図３，４はランバーサポートバスケットのフレームに対する異位置を示す。図３に示す位置においては、張引ケーブル１６，１７には張力がかけられることはなく、ランバーサポートバスケットはシートの一部（図示せず）により押圧されて休止位置に保持されている。図３に示す位置においては、２本の張引ケーブル１６，１７は接合ニップル２８(図
７)に至るまで共に延び、同接合ニップル２８において張引ケーブル１６，１７は合流し
た後、案内部２４，２５に案内されてフレームの互いに異なる側に引き回されている。いま、仮にアクチュエータ１３が駆動されると、２つの張引ケーブル１６，１７に張力が作用し、図８に示すように、接合ニップル２８及び両張引ケーブル１６，１７の共通延伸部分をケーブルスリーブ１５の方向へと移動させる。この結果、両張引ケーブル１６，１７の水平方向に延びる部分が案内部２４，２５により方向転換され、それぞれが高さｈ分だけ、実質的に短縮される。とりわけ、張引ケーブル１６，１７においてフレーム１０の両側１０ａ，１０ｂ間を水平方向に延びる部分は高さ２ｈにわたり短縮される。このように、張引ケーブル１６，１７の水平方向における実効的な長さは高さ２ｈ分だけ減少することになる。張引ケーブル１６，１７の水平方向における長さは、フレーム１０にて画定される平面に対するランバーサポートバスケット１２の位置を決定するものである。従って、図４に示すように、ランバーサポートバスケット１２は使用者の背中（図示せず）に向かって押圧される。
【００１４】
前記したように、本発明により下記の効果が得られる。
第１に、ランバーサポートバスケットはフレームにて画定される平面に対して直交する方向において対照的に移動する。更に、ランバーサポートバスケットを２ｈの長さ分だけ調節するには、アクチュエータにより張引ケーブルを高さｈだけ引っ張ることにより実現される。張引ケーブル１６，１７を張引するアクチュエータは手動であってもよく、電動モータによって駆動されるものであってもよい。
【００１５】
図示した２つの張引ケーブル１６，１７に換えて、フレーム１０の一側から他側１０ｂの延びる第１の張引ケーブルと、アクチュエータから接合ニップル２８に延びる第２の張引ケーブルを設けてもよい。この場合には、第１の張引ケーブルは第２の張引ケーブルと接合ニップル２８内で連結される。アクチュエータに連結された第２の張引ケーブルに張力が付与されると、第２の張引ケーブルは第１の張引ケーブルをケーブルスリーブ１５の方向に上昇させる。すると、フレームの両側間を延びる張引ケーブルの長さが２ｈだけ短縮されるため、ランバーサポートバスケットは図４に示す位置に移動される。
【図面の簡単な説明】
【００１６】
【図１】シートのバックレストのフレームに取り付けられたランバーサポートバスケットを示す正面図。
【図２】フレームに取り付けられたランバーサポートの背面図。
【図３】負荷のかかっていない位置にあるランバーサポートを示す平面図。
【図４】負荷のかかった位置にあるランバーサポートを示す平面図。
【図５】ランバーサポートの拡大帳面図。
【図６】ランバーサポートの拡大背面図。
【図７】ボーデンケーブルが非負荷位置にあるときの案内装置の詳細図。
【図８】ボーデンケーブルが負荷位置にあるときの案内装置の詳細図。
【符号の説明】
【００１７】
１０…フレーム、１０ａ…フレームの一側、１０ｂ…フレームの他側、１１…ランバーサポート、１２…ランバーサポートバスケット、１３…アクチュエータ、１４…ワイヤーマット、１５…ケーブルスリーブ、１６，１７…張引ケーブル、１８…案内装置、２０…中央部、２１，２２…側部、２３…締め付け部、２４,２５内部、２６…案内アイ、２７
…固定要素、２８…接合ニップル。
【図１】
2009502381.tif 000003
【図２】
2009502381.tif 000004
【図３】
2009502381.tif 000005
【図４】
2009502381.tif 000006
【図５】
2009502381.tif 000007
【図６】
2009502381.tif 000008
【図７】
2009502381.tif 000009
【図８】
2009502381.tif 000010
【手続補正書】
【提出日】平成19年5月15日(2007.5.15)
【手続補正１】
【補正対象書類名】特許請求の範囲
【補正対象項目名】全文
【補正方法】変更
【補正の内容】
【特許請求の範囲】
【請求項１】
シートのバックレストのフレーム（１０）に取り付けられたランバーサポートバスケット（１２）と、
ボーデンケーブルと、フレーム（１０）に取り付けられて同ボーデンケーブルを駆動するアクチュエータ（１３）とを有する張引装置とを備え、前記張引装置とがいる前記フレーム（１０）に対するランバーサポートバスケット（１２）の位置を変更し、さらには２本の張引ケーブル（１６，１７）を有し、これら張引ケーブル（１６，１７）は、張引装置に付与される張力によりランバーサポートバスケット（１２）がバックレストのフレーム（１０）にて画定される平面に対して移動するように、ランバーサポートバスケット（１２）及びフレーム（１０）に連結されているシートのバックレスト用ランバーサポートにおいて、
一方の張引ケーブル（１６又は１７）はフレーム（１０）の一側から他側に延びるとともに、他方の張引ケーブル（１７又は１６）はアクチュエータ（１３）から案内装置（１８）に延び、同案内装置（１８）において両張引ケーブル（１６，１７）は互いに連結されて、他方の張引ケーブル（１７又は１６）に張力が付与されると、一方の張引ケーブル（１６又は１７）のフレーム（１０）両側間における長さが短縮されることを特徴とするシートのバックレスト用ランバーサポート。
【請求項２】
シートのバックレストのフレーム（１０）に取り付けられたランバーサポートバスケット（１２）と、
前記フレーム（１０）に対するランバーサポートバスケット（１２）の位置を変更し、かつ２本の張引ケーブル（１６，１７）を有する張引装置とを備え、これら張引ケーブル（１６，１７）は、張引装置に付与される張力によりランバーサポートバスケット（１２）がバックレストのフレーム（１０）にて画定される平面に対して移動するように、ランバーサポートバスケット（１２）及びフレーム（１０）に連結され、前記張引装置はボーデンケーブルであり、同ボーデンケーブルを駆動するアクチュエータ（１３）がフレーム（１０）に取り付けられているシートのバックレスト用のランバーサポートにおいて、
両張引ケーブル（１６，１７）は共にアクチュエータ（１３）から張引ケーブル（１６，１７）が移動可能に案内される案内装置（１８）へと延び、同案内装置（１８）におい
て分岐された後、それぞれがフレーム（１０）に延びて同フレーム（１０）に連結されることを特徴とするシートのバックレスト用ランバーサポート。
【請求項３】
両張引ケーブル（１６，１７）はそれぞれの一方の端がフレーム（１０）に連結されていることを特徴とする請求項２に記載のシートのバックレスト用ランバーサポート。
【請求項４】
両張引ケーブル（１６，１７）は分岐された後に、互いに反対方向に引き回され、フレーム（１０）の一側及び他側に連結されることを特徴とする請求項２又は３に記載のシートのバックレスト用ランバーサポート。
【請求項５】
前記張引装置に張力が付与されると、張引ケーブルにおけるフレームに連結された箇所より案内装置（１８）に至る領域が短縮され、ランバーサポートバスケットはフレームにて画定される平面に対して変位することを特徴とする請求項２乃至４のいずれか１項に記載のシートのバックレスト用ランバーサポート。
【国際調査報告】
2009502381.tif 000011
2009502381.tif 000012
2009502381.tif 000013
2009502381.tif 000014